(57)【特許請求の範囲】
【請求項１】
所定セルを形成する一般基地局と、前記所定セルよりもセルサイズが小さい小セルを形成する小型基地局と含む移動通信ネットワークにおいて、前記小型基地局が送信する無線信号の送信電力を制御する送信電力制御システムであって、
前記小型基地局が受信可能な他の小型基地局または前記一般基地局からの無線信号の受信電力を取得する受信電力取得部と、
前記受信電力取得部によって取得された前記無線信号が前記他の小型基地局または前記一般基地局の何れから送信されたかを判定する判定部と、
前記無線信号が前記他の小型基地局から送信されたと前記判定部によって判定された場合、前記他の小型基地局からの前記無線信号の送信電力と、前記受信電力取得部によって取得された前記他の小型基地局からの前記無線信号の受信電力との差分に基づいて、前記他の小型基地局と前記小型基地局とのパスロス値を演算するパスロス値演算部と、
前記パスロス値演算部によって演算された前記パスロス値に基づいて、前記小型基地局が送信する無線信号の送信電力を決定する送信電力決定部と
を備え、
前記送信電力決定部は、
前記判定部によって前記無線信号が前記一般基地局から送信されたと判定された場合、前記受信電力取得部によって取得された前記一般基地局からの前記無線信号の受信電力に基づいて、前記小型基地局が送信する無線信号の送信電力を決定し、
前記パスロス値に基づいて決定した前記小型基地局からの無線信号の送信電力と、前記一般基地局からの前記無線信号の受信電力に基づいて決定した前記小型基地局からの無線信号の送信電力とのうち、小さい値を有する送信電力を前記小型基地局が送信する無線信号の送信電力として決定する送信電力決定システム。
【請求項２】
前記小型基地局が受信可能な前記他の小型基地局が複数存在する場合、前記パスロス値が最も小さい他の小型基地局における前記小型基地局からの無線信号の受信電力が所定の閾値以下となるように、前記小型基地局が送信する無線信号の送信電力を決定する請求項１に記載の送信電力決定システム。
【請求項３】
前記送信電力決定部は、前記受信電力取得部によって取得された前記一般基地局からの前記無線信号の受信電力に、所定のオフセット値を加算することによって前記小型基地局が送信する無線信号の送信電力を決定する請求項１に記載の送信電力決定システム。
【請求項４】
所定セルを形成する一般基地局と、前記所定セルよりもセルサイズが小さい小セルを形成する小型基地局と含む移動通信ネットワークにおいて、前記小型基地局が送信する無線信号の送信電力を制御する基地局であって、
前記小型基地局が受信可能な他の小型基地局または前記一般基地局からの無線信号の受信電力を取得する受信電力取得部と、
前記受信電力取得部によって取得された前記無線信号が前記他の小型基地局または前記一般基地局の何れから送信されたかを判定する判定部と、
前記無線信号が前記他の小型基地局から送信されたと前記判定部によって判定された場合、前記他の小型基地局からの前記無線信号の送信電力と、前記受信電力取得部によって取得された前記他の小型基地局からの前記無線信号の受信電力との差分に基づいて、前記他の小型基地局と前記小型基地局とのパスロス値を演算するパスロス値演算部と、
前記パスロス値演算部によって演算された前記パスロス値に基づいて、前記小型基地局が送信する無線信号の送信電力を決定する送信電力決定部と
を備え、
前記送信電力決定部は、
前記判定部によって前記無線信号が前記一般基地局から送信されたと判定された場合、前記受信電力取得部によって取得された前記一般基地局からの前記無線信号の受信電力に基づいて、前記小型基地局が送信する無線信号の送信電力を決定し、
前記パスロス値に基づいて決定した前記小型基地局からの無線信号の送信電力と、前記一般基地局からの前記無線信号の受信電力に基づいて決定した前記小型基地局からの無線信号の送信電力とのうち、小さい値を有する送信電力を前記小型基地局が送信する無線信号の送信電力として決定する基地局。
【請求項５】
所定セルを形成する一般基地局と、前記所定セルよりもセルサイズが小さい小セルを形成する小型基地局と含む移動通信ネットワークにおいて、前記小型基地局が送信する無線信号の送信電力を制御する送信電力制御方法であって、
前記小型基地局が受信可能な他の小型基地局または前記一般基地局からの無線信号の受信電力を取得するステップと、
取得された前記無線信号が前記他の小型基地局または前記一般基地局の何れから送信されたかを判定するステップと、
前記無線信号が前記他の小型基地局から送信されたと判定された場合、前記他の小型基地局からの前記無線信号の送信電力と、取得された前記他の小型基地局からの前記無線信号の受信電力との差分に基づいて、前記他の小型基地局と前記小型基地局とのパスロス値を演算するステップと、
演算された前記パスロス値に基づいて、前記小型基地局が送信する無線信号の送信電力を決定するステップと
を備え、
前記送信電力を決定するステップでは、
前記判定するステップにおいて、前記無線信号が前記一般基地局から送信されたと判定された場合、前記取得するステップにおいて取得された前記一般基地局からの前記無線信号の受信電力に基づいて、前記小型基地局が送信する無線信号の送信電力を決定し、
前記パスロス値に基づいて決定した前記小型基地局からの無線信号の送信電力と、前記一般基地局からの前記無線信号の受信電力に基づいて決定した前記小型基地局からの無線信号の送信電力とのうち、小さい値を有する送信電力を前記小型基地局が送信する無線信号の送信電力として決定する送信電力制御方法。
【発明の詳細な説明】
【技術分野】
【０００１】
本発明は、小型基地局が送信する無線信号の送信電力を制御する送信電力制御システム、基地局及び送信電力制御方法に関する。
【背景技術】
【０００２】
従来、移動通信システムでは、移動局から規則性なく発生する通信要求の内容に応じたサービス品質を確保する必要がある。そこで、移動通信事業者は、基地局の設置に際して、サービスエリアの大きさや、当該サービスエリア内で発生するトラフィックを予測した上で、基地局の設置場所や構成、基地局から送信される下り方向における共通制御チャネルの送信電力などの無線パラメータを、シミュレーションなどの手段を用いて設計することが一般的である（例えば、非特許文献１）。
【０００３】
また、近年では、移動通信事業者によって設置される公衆通信向けの一般基地局に加え、フェムトセルなど、移動局のユーザが自宅などに設置する小型基地局（例えば、Home NodeB）が増加している（例えば、非特許文献２参照）。移動通信事業者が上述した無線パラメータを設計する際には、このような小型基地局の設置場所なども考慮する必要がある。
【０００４】
しかしながら、小型基地局は、移動局のユーザによって自由に設置され得るため、これらすべての小型基地局の設置場所などを考慮したシミュレーションによる無線パラメータを設計は、現実的でない。そこで、小型基地局などが自律的に無線パラメータを設定するSelf Configurationが必要となる。
【０００５】
例えば、小型基地局が、周辺の基地局（小型基地局または一般基地局）が送信する共通制御チャネル（W-CDMAシステムでは、Common Pilot Channel（CPICH））の受信レベルを測定し、測定した受信レベルに基づいて自局が送信する共通制御チャネルの送信レベルを決定する方法が考えられる。
【先行技術文献】
【非特許文献】
【０００６】
【非特許文献１】森、他、２００１年信学総大、B-5-34、「受信品質測定システムを用いたW-CDMAエリア評価実験」、２００１年３月
【非特許文献２】3GPP TS 22.220, Service requirements for Home NodeBs (UMTS) and Home eNodeBs (LTE)
【発明の概要】
【発明が解決しようとする課題】
【０００７】
しかしながら、上述したようなSelf Configurationには、次のような問題がある。すなわち、小型基地局が、周辺の基地局が送信する共通制御チャネルの受信レベルに基づいて自局が送信する共通制御チャネルの送信レベルを決定する場合、周辺の基地局の共通制御チャネルによる移動局での品質劣化を低減するため、自局の共通制御チャネルの送信レベルを高めることとなる。
【０００８】
このような処理が周辺の基地局において繰り返されると、結果的に自局や周辺の基地局が送信する共通制御チャネルの送信レベルが高くなり、かえって当該基地局間における無線信号の干渉が増大し得る問題がある。
【０００９】
そこで、本発明は、このような状況に鑑みてなされたものであり、公衆通信向けの一般基地局と、移動局のユーザなどによって自由に設置され得る小型基地局とが混在する場合でも、これらの基地局間における無線信号の干渉を確実に低減できる送信電力制御システム、基地局及び送信電力制御方法の提供を目的とする。
【課題を解決するための手段】
【００１０】
本発明の特徴に係る送信電力制御システムは、所定セルを形成する一般基地局（基地局２０３，基地局２０４）と、前記所定セルよりもセルサイズが小さい小セルを形成する小型基地局（基地局２００〜基地局２０２）と含む移動通信ネットワーク（移動通信ネットワーク３０）において、前記小型基地局が送信する無線信号の送信電力を制御する送信電力制御システムであって、前記小型基地局が受信可能な他の小型基地局または前記一般基地局からの無線信号の受信電力を取得する受信電力取得部（受信電力取得部２１１）と、前記受信電力取得部によって取得された前記無線信号が前記他の小型基地局または前記一般基地局の何れから送信されたかを判定する判定部（基地局種別判定部２１７）と、前記無線信号が前記他の小型基地局から送信されたと前記判定部によって判定された場合、前記他の小型基地局からの前記無線信号の送信電力と、前記受信電力取得部によって取得された前記他の小型基地局からの前記無線信号の受信電力との差分に基づいて、前記他の小型基地局と前記小型基地局とのパスロス値を演算するパスロス値演算部（パスロス値演算部２１９）と、前記パスロス値演算部によって演算された前記パスロス値に基づいて、前記小型基地局が送信する無線信号の送信電力を決定する送信電力決定部（送信電力決定部２２１）とを備えることを要旨とする。
【００１１】
上述した本発明の特徴において、前記送信電力決定部は、前記判定部によって前記無線信号が前記一般基地局から送信されたと判定された場合、前記受信電力取得部によって取得された前記一般基地局からの前記無線信号の受信電力に基づいて、前記小型基地局が送信する無線信号の送信電力を決定してもよい。
【００１２】
上述した本発明の特徴において、前記送信電力決定部は、前記パスロス値に基づいて決定した前記小型基地局からの無線信号の送信電力と、前記一般基地局からの前記無線信号の受信電力に基づいて決定した前記小型基地局からの無線信号の送信電力とのうち、小さい値を前記小型基地局が送信する無線信号の送信電力として決定してもよい。
【００１３】
上述した本発明の特徴において、前記送信電力決定部は、前記小型基地局が受信可能な前記他の小型基地局が複数存在する場合、前記パスロス値が最も小さい他の小型基地局における前記小型基地局からの無線信号の受信電力が所定の閾値以下となるように、前記小型基地局が送信する無線信号の送信電力を決定してもよい。
【００１４】
上述した本発明の特徴において、前記送信電力決定部は、前記受信電力取得部によって取得された前記一般基地局からの前記無線信号の受信電力に、所定のオフセット値を加算することによって前記小型基地局が送信する無線信号の送信電力を決定してもよい。
【発明の効果】
【００１５】
本発明の特徴によれば、公衆通信向けの一般基地局と、移動局のユーザなどによって自由に設置され得る小型基地局とが混在する場合でも、これらの基地局間における無線信号の干渉を確実に低減できる送信電力制御システム、基地局及び送信電力制御方法を提供することができる。
【図面の簡単な説明】
【００１６】
【図１】本発明の実施形態に係る移動通信システムの全体概略構成図である。
【図２】本発明の実施形態に係る基地局２０１（小型基地局）の機能ブロック構成図である。
【図３】本発明の実施形態に係る基地局２０１の全体動作シーケンスを示す図である。
【図４】本発明の実施形態に係る基地局２０１による共通制御チャネルの送信電力決定フローを示す図である。
【図５】本発明の実施形態に係る送信電力決定テーブル５００の一例を示す図である。
【図６】本発明の実施形態に係る基地局２０１における他の小型基地局（基地局２００，２０２）とのパスロス値、及び一般基地局（基地局２０４）からの共通制御チャネルの受信電力の関係を模式的に示す図である。
【図７】本発明の変更例に係る送信電力決定フローを示す図である。
【図８】本発明の変更例に係る送信電力オフセットテーブル６００の一例を示す図である。
【発明を実施するための形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（１）移動通信システムの全体概略構成
図１は、本実施形態に係る移動通信システムの全体概略構成図である。具体的には、図１は、移動通信システムにおける代表的な無線アクセスネットワークの構成例を示す。
【００２０】
図１に示す移動通信システムは、LTE方式に準拠しており、基地局２００〜２０４は、基地局制御装置１００（MME）と通信可能に接続されている。基地局制御装置１００は、基地局２００〜２０４に対し、当該基地局が移動局３００と無線通信を実行するために必要な無線パラメータの割り当てや、その管理などを実行する。
【００２１】
基地局２００〜基地局２０２は、移動通信事業者が提供する通信サービスのユーザが管理する小型基地局（Home eNodeB）である。基地局２００〜基地局２０２は、当該ユーザが管理するLocal Area Network（LAN）に共に設置され、FTTHやADSLを提供するアクセス回線事業者ネットワーク２０を介して、移動通信事業者ネットワーク１０上に設けられた基地局制御装置１００と接続される。移動通信事業者ネットワーク１０とアクセス回線事業者ネットワーク２０とよって移動通信ネットワーク３０が形成される。
【００２２】
移動通信事業者ネットワーク１０とアクセス回線事業者ネットワーク２０との境界には、Security Gateway（SGW）４００が設置される。ＳＧＷ４００は、他の通信ネットワークからの不正なアクセスに対して、移動通信事業者ネットワーク１０を保護するためにゲートウェイである。ＳＧＷ４００は、所定の認証手順によって正規と認められた移動通信事業者ネットワーク１０へのアクセスのみを許可する。
【００２３】
本実施形態では、基地局２００〜基地局２０２は、各々異なるユーザが所有しているものとする。このため、一方の基地局を管理するユーザの移動局は、他方の基地局に対する接続許可が与えられていない。一方、基地局２０３及び基地局２０４は、公衆通信向けの基地局（eNodeB）であり、移動通信事業者ネットワーク１０上に設置されている。移動通信事業者のユーザの移動局であれば、特に制限なく基地局２０３及び基地局２０４に接続することができる。
【００２４】
基地局２０３及び基地局２０４は、セルＣ１（所定セル）を形成する一般基地局を構成する。一方、基地局２００〜基地局２０２は、セルＣ１よりもセルサイズが小さいセルＣ２（小セル）を形成する。本実施形態において、基地局２００〜基地局２０２は、小型基地局を構成する。
【００２５】
（２）小型基地局の機能ブロック構成
図２は、本実施形態において小型基地局を構成する基地局２０１の機能ブロック構成図である。なお、基地局２００及び基地局２０２も基地局２０１と同様の構成を有する。
【００２６】
図２に示すように、基地局２０１は、受信電力取得部２１１、基地局種別取得部２１３、送信電力取得部２１５、基地局種別判定部２１７、パスロス値演算部２１９及び送信電力決定部２２１を備える。
【００２７】
受信電力取得部２１１は、基地局２０１が受信可能な他の小型基地局（基地局２００及び基地局２０２）または一般基地局（基地局２０３及び基地局２０４）からの無線信号の受信電力を取得する。
【００２８】
具体的には、受信電力取得部２１１は、当該基地局によって送信される共通制御チャネルの受信電力を取得する。本実施形態では、上述したようにLTE方式に準拠しているため、共通制御チャネルとしてReference Signalが用いられる。
【００２９】
基地局種別取得部２１３は、受信電力取得部２１１によって取得された共通制御チャネルを送信する基地局の種別を取得する。具体的には、基地局種別取得部２１３は、当該基地局から送信される報知情報に含まれる基地局種別（小型基地局または一般基地局）を取得することができる。なお、報知情報は、例えば共通制御チャネルを介して送信される。
【００３０】
或いは、基地局種別取得部２１３は、各基地局に割り当てられているセルIDを基地局種別として取得することができる。つまり、小型基地局と一般基地局とに異なる番号空間のセルIDを割り当てておくことによって、基地局種別を判定できるようにしてもよい。
【００３１】
送信電力取得部２１５は、受信電力取得部２１１が受信電力を取得した共通制御チャネルを送信する基地局における当該共通制御チャネルの送信電力を取得する。具体的には、送信電力取得部２１５は、当該基地局から送信される報知情報に含まれる送信電力値を取得することができる。或いは、送信電力取得部２１５は、当該基地局に対して共通制御チャネルの送信電力値を問い合わせてもよい。
【００３２】
基地局種別判定部２１７は、受信電力取得部２１１によって取得された無線信号（具体的には共通制御チャネル）が他の小型基地局または一般基地局の何れから送信されたかを判定する。具体的には、基地局種別判定部２１７は、基地局種別取得部２１３によって取得された基地局種別に基づいて、共通制御チャネルを送信する基地局が小型基地局（Home eNodeB）か一般基地局（eNodeB）かを判定する。
【００３３】
パスロス値演算部２１９は、他の小型基地局が送信する共通制御チャネルのパスロス値（伝播損失）を演算する。具体的には、パスロス値演算部２１９は、受信電力取得部２１１が受信電力を取得した共通制御チャネルが他の小型基地局から送信されたと基地局種別判定部２１７によって判定された場合、当該他の小型基地局からの共通制御チャネルの送信電力と、受信電力取得部２１１によって取得された当該他の小型基地局（例えば、基地局２００）からの共通制御チャネルの受信電力との差分に基づいて、当該他の小型基地局と自局（基地局２０１）とのパスロス値を演算する。
【００３４】
送信電力決定部２２１は、基地局２０１が送信する共通制御チャネルの送信電力を決定する。具体的には、送信電力決定部２２１は、パスロス値演算部２１９によって演算されたパスロス値に基づいて、基地局２０１が送信する共通制御チャネルの送信電力を決定する。
【００３５】
また、送信電力決定部２２１は、基地局種別判定部２１７によって、受信した共通制御チャネルが一般基地局から送信されたと判定された場合、受信電力取得部２１１によって取得された当該一般基地局からの共通制御チャネルの受信電力に基づいて、基地局２０１が送信する無線信号の送信電力を決定する。
【００３６】
さらに、本実施形態では、送信電力決定部２２１は、パスロス値に基づいて決定した基地局２０１からの共通制御チャネルの送信電力と、一般基地局からの共通制御チャネルの受信電力に基づいて決定した基地局２０１からの共通制御チャネルの送信電力とのうち、小さい値を基地局２０１が送信する共通制御チャネルの送信電力として決定する。
【００３７】
（３）小型基地局の動作
次に、本実施形態において小型基地局を構成する基地局２０１の動作例について説明する。図３は、基地局２０１の全体動作シーケンスを示す。図４は、基地局２０１による共通制御チャネルの送信電力決定フローを示す。
【００３８】
（３．１）基地局２０１の全体動作シーケンス
図３は、他の基地局（基地局２００，２０２〜２０４）が既に運用されており、基地局２００のカバーエリアと基地局２０４のカバーエリアとに隣接するエリアに、小型基地局である基地局２０１を新たに設置した際における基地局２０１の動作シーケンスを示す。基地局２０１が基地局２００のカバーエリアと基地局２０４のカバーエリアとに隣接するエリアに設置されると、基地局２０１は、立ち上げ動作を実行する（ステップＳ１０００）。
【００３９】
基地局２０１は、立ち上げ動作が完了すると、基地局２０１の周辺に位置する基地局が送信している共通制御チャネル（Reference Signal）をサーチし、共通制御チャネルの受信を試みる（ステップＳ１００１）。
【００４０】
ここでは、基地局２０１は、基地局２００（小型基地局）と、基地局２０４（一般基地局）が送信している共通制御チャネルを受信できたものとする。基地局２０１は、当該共通制御チャネルの受信電力を測定する。（ステップＳ１００２）。
【００４１】
また、ここでは、基地局２０１は、基地局２００及び基地局２０４から送信される報知情報に含まれるセルIDを取得し、基地局の種別を判定する。基地局２０１は、セルIDに基づいて基地局種別が小型基地局である場合、当該基地局が共通制御チャネルの送信電力を自動的に設定する基地局であると判定する（ステップＳ１００３）。
【００４２】
なお、本実施形態では、小型基地局である基地局２００〜基地局２０２は、共通制御チャネルの送信電力を自動的に設定できるものとする。一方、一般基地局である基地局２０３及び基地局２０４では、共通制御チャネルの送信電力は固定であるものとする。
【００４３】
基地局２０１は、基地局２００が送信する共通制御チャネルの送信電力を取得する。なお、基地局２０１は、上述したように基地局２００からの報知情報などに基づいて当該共通制御チャネルの送信電力を取得できる。基地局２０１は、基地局２００からの共通制御チャネルの送信電力と、基地局２０１における当該共通制御チャネルの受信電力との差分に基づいて、基地局２００と基地局２０１とのパスロス値を演算する（ステップＳ１００４）。具体的には、当該差分をパスロス値とする。
【００４４】
基地局２０１は、演算されたパスロス値に基づいて、基地局２０１が送信する共通制御チャネルの送信電力を決定する（ステップＳ１００５）。なお、具体的な送信電力の決定方法については後述する。
【００４５】
基地局２０１は、決定された送信電力で共通制御チャネルの送信を開始する（ステップＳ１００６）。
【００４６】
また、共通制御チャネルの送信電力を自動的に設定できる他の小型基地局（ここでは、基地局２００）は、定期的に共通制御チャネルの送信を停止する（ステップＳ１００７）。
【００４７】
基地局２００は、上述したステップＳ１００１〜Ｓ１００５と同様の処理を、ステップＳ１００８〜Ｓ１０１２においてそれぞれ実行する。
【００４８】
基地局２００は、ステップＳ１０１２までの処理を完了すると、共通制御チャネルの送信を再開する（ステップＳ１０１３）。
【００４９】
（３．２）基地局２０１による共通制御チャネルの送信電力決定フロー
図４に示すように、基地局２０１は、共通制御チャネルの送信電力が固定である基地局（ここでは基地局２０４のみ）が送信する共通制御チャネルの受信電力の測定結果を参照し（ステップＳ２０００）する。
【００５０】
基地局２０１は、測定結果が複数存在する場合には、当該測定結果に基づいて、受信電力を合算する（ステップＳ２００１）。
【００５１】
基地局２０１は、合算した受信電力の値に基づいて、基地局２０１が送信する共通制御チャネルの送信電力Ａを決定する(ステップＳ２００２)。
【００５２】
ここで、図５は、受信電力の合計値と送信電力との対応関係を規定する送信電力決定テーブル５００の一例を示す。図５に示すように、送信電力決定テーブル５００では、基地局２０１における周辺基地局の共通制御チャネルの受信電力の合計値と、基地局２０１が送信する共通制御チャネルの送信電力とが対応付けられている。また、受信電力の合計値は、一定の幅（図５に示す例では５〜１０ｄＢ）を有する。
【００５３】
なお、基地局２０１は、送信電力決定テーブル５００に代えて、以下に示す（式１）を用いて送信電力Ａを決定してもよい。
【数１】
0005162630.tif 000002
【００５４】
ここで、Rvは受信電力、Trは送信電力、αは変換オフセット値を示す。つまり、基地局２０１の送信電力決定部２２１は、受信電力取得部２１１によって取得された一般基地局からの共通制御チャネルの受信電力に、変換オフセット値α（所定のオフセット値）を加算することによって基地局２０１が送信する共通制御チャネルの送信電力を決定してもよい。
【００５５】
基地局２０１は、共通制御チャネルの送信電力を自動的に設定を行う基地局とのパスロス値を参照する（ステップＳ２００３）。なお、パスロス値は、上述したように、周辺の小型基地局からの共通制御チャネルの送信電力と、基地局２０１における当該共通制御チャネルの受信電力との差分である。
【００５６】
基地局２０１は、算出されたパスロス値に基づいて基地局２０１が送信する共通制御チャネルの送信電力Ｂを決定する。（ステップＳ２００４）。具体的には、基地局２０１の送信電力決定部２２１は、基地局２０１が受信可能な他の小型基地局が複数存在する場合、パスロス値が最も小さい他の小型基地局における基地局２０１からの共通制御チャネルの受信電力が所定の閾値以下となるように、基地局２０１が送信する共通制御チャネルの送信電力を決定する。
【００５７】
図６は、基地局２０１における他の小型基地局（基地局２００，２０２）とのパスロス値、及び一般基地局（基地局２０４）からの共通制御チャネルの受信電力の関係を模式的に示す。
【００５８】
図６に示すように、基地局２０１は、基地局２００とのパスロス値βと、基地局２０２とのパスロス値γとを演算し、β及びγを取得する。ここでは、β＜γであるものとする。基地局２０１は、パスロス値が最も小さい基地局２００を基準として送信電力Ｂを決定する。具体的には、基地局２０１は、基地局２０１から送信する共通制御チャネルの基地局２００における受信電力が所定の閾値（T）以下になるような送信電力Ｂを、（式２）を用いて決定する。
【数２】
0005162630.tif 000003
【００５９】
ここで、β及びγはパスロス値（ｄＢ）、Tは受信電力閾値、Trは送信電力を示す。このように、パスロス値が最も小さい基地局２００を基準として送信電力Ｂを決定することにより、パスロス値が相対的に大きい基地局２０２に対する干渉量を所定値以下に低減できる。
【００６０】
次いで、図４に示すように、基地局２０１は、ステップＳ２００２において決定した送信電力Ａと、ステップＳ２００４において決定した送信電力Ｂとのうち、小さい値を基地局２０１が送信する共通制御チャネルの送信電力として決定する（ステップＳ２００５）。
【００６１】
（４）作用・効果
上述した基地局２０１によれば、受信した共通制御チャネルが他の小型基地局から送信されたと判定された場合、当該他の小型基地局と基地局２０１とのパスロス値に基づいて、基地局２０１が送信する共通制御チャネルの送信電力が決定される。具体的には、パスロス値が最も小さい他の小型基地局における基地局２０１からの共通制御チャネルの受信電力が所定の閾値以下となるように、基地局２０１が送信する共通制御チャネルの送信電力が決定される。
【００６２】
このため、従来のSelf Configurationのように結果的に自局や周辺の基地局が送信する共通制御チャネルの送信レベルが徐々に高くなり、かえって当該基地局間における無線信号の干渉が増大する問題を回避できる。
【００６３】
さらに、本実施形態では、小型基地局間ではパスロス値に基づいて共通制御チャネルの送信電力が決定されている場合でも、送信電力が固定であり、かつ小型基地局よりも送信電力が大きいことが多い一般基地局（基地局２０３及び基地局２０４）からの共通制御チャネルを受信した際には、当該共通制御チャネルの受信電力に基づいて基地局２０１が送信する共通制御チャネルの送信電力が決定されるため、小型基地局間に加え、一般基地局との干渉も抑制した適切な共通制御チャネルの送信電力を決定できる。
【００６４】
一方、一般基地局からの共通制御チャネルの受信電力のみに基づいて、基地局２０１が送信する共通制御チャネルの送信電力を決定すると、共通制御チャネルの送信電力を自動的に設定する小型基地局に囲まれている基地局は、共通制御チャネルの送信電力が上昇し難いため、小型基地局に囲まれていない基地局と比較してサービスエリアが縮小する可能性がある。つまり、基地局間においてサービスエリアの不公平が生じる。
【００６５】
そこで、本実施形態では、上述したように、小型基地局との間ではパスロス値に基づいて共通制御チャネルの送信電力を決定することにより、互いに他の小型基地局の受信電力が所定の閾値（T）以下となり、このようなサービスエリアの不公平が解消される。
【００６６】
本実施形態では、パスロス値に基づいて決定した共通制御チャネルの送信電力と、一般基地局からの共通制御チャネルの受信電力に基づいて決定した共通制御チャネルの送信電力とのうち、小さい値が用いられる。このため、周辺の基地局間における干渉を効果的に抑制しつつ、適切なサービスエリアや通信品質を確保し得る。
【００６７】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６８】
図７は、本発明の変更例に係る送信電力決定フローを示す。具体的には、図７に示すステップＳ２００３Ａ〜Ｓ２００５Ａは、図４に示したステップＳ２００３〜Ｓ２００５に代えて実行される。
【００６９】
基地局２０１は、共通制御チャネルの送信電力を自動的に設定を行う基地局の数を参照する（ステップＳ２００３Ａ）。なお、基地局２０１は、受信可能な共通制御チャネルに基づいて当該基地局の数を取得する。
【００７０】
基地局２０１は、取得した基地局数に応じた送信電力オフセット値（固定オフセット値）を決定する（ステップＳ２００４Ａ）。図８は、基地局数と送信電力オフセット値との対応関係を規定する送信電力オフセットテーブル６００の一例を示す。基地局２０１は、送信電力オフセットテーブル６００に基づいて送信電力オフセット値を決定する。
【００７１】
基地局２０１は、ステップＳ２００２（図４参照）において決定した送信電力Ａに、送信電力オフセット値を加算することによって、送信電力Ｂを演算する。基地局２０１は、送信電力Ｂを基地局２０１が送信する共通制御チャネルとして決定する。
【００７２】
また、上述した実施形態では、基地局２０１が、共通制御チャネルの送信電力の決定に関わるすべての処理を実行していたが、一部の処理を基地局制御装置１００において実行するようにしてもよい。つまり、小型基地局と基地局制御装置１００とによる送信電力制御システムを構成してもよい。
【００７３】
さらに、W-CDMA方式の場合、基地局制御装置１００が、小型基地局が受信した周辺基地局の受信電力や基地局の種別に基づいて、小型基地局が送信する共通制御チャネルの送信電力を決定してもよい。また、W-CDMA方式の場合、基地局に割り当てられているスクランブルコードに基づいて基地局の種別を識別してもよい。
【００７４】
上述した実施形態では、パスロス値に基づいて決定した共通制御チャネルの送信電力と、一般基地局からの共通制御チャネルの受信電力に基づいて決定した共通制御チャネルの送信電力とのうち、小さい値が用いられていたが、このような処理は必ずしも必要ない。また、一般基地局からの共通制御チャネルを受信した際には、当該共通制御チャネルの受信電力に基づいて基地局２０１が送信する共通制御チャネルの送信電力が決定されていたが、このような処理も必ずしも必要でない。
【００７５】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７６】
１０…移動通信事業者ネットワーク
２０…アクセス回線事業者ネットワーク
３０…移動通信ネットワーク
１００…基地局制御装置
２００〜２０４…基地局
２１１…受信電力取得部
２１３…基地局種別取得部
２１５…送信電力取得部
２１７…基地局種別判定部
２１９…パスロス値演算部
２２１…送信電力決定部
３００…移動局
４００…ＳＧＷ
５００…送信電力決定テーブル
６００…送信電力オフセットテーブル
Ｃ１，Ｃ２…セル
【図１】
0005162630.tif 000004
【図２】
0005162630.tif 000005
【図３】
0005162630.tif 000006
【図４】
0005162630.tif 000007
【図５】
0005162630.tif 000008
【図６】
0005162630.tif 000009
【図７】
0005162630.tif 000010
【図８】
0005162630.tif 000011